(57)【要約】【課題】伝送データ容量を閲覧側の監視ニーズに柔軟に対応させることができ、必要に応じて時系列データの解像度を手動調整することによって更新表示・追加表示・再表示させること。【解決手段】閲覧側が解像度調整を行いたい調整時系列情報を選択し、続けて調整時系列情報の解像度を調整・操作することで伝送条件を確定させる工程（Ｓ１１）と、前記伝送条件の信号をデータ生成側処理装置の端末で受信させる工程（Ｓ１２）と、データ生成側処理装置にて、調整時系列情報におけるｔ＋１時系列データに対応する原時系列データを分解・圧縮・コード化する工程（Ｓ１３）と、圧縮コードを閲覧側処理装置の端末へ伝送させる工程（Ｓ１４）と、閲覧側処理装置の端末にて受信された圧縮コードを展開して、閲覧側のディスプレイに解像度が調整された前記ｔ＋１時系列データを更新表示させる工程（Ｓ１５）とを有すること。【選択図】　図２
2004086571.tif 000002
【特許請求の範囲】
【請求項１】
時系列情報を構成する時間的に連続性のある複数の時系列データの内、時間ｔでは時間幅ｔのｔ時系列データを閲覧側のディスプレイに表示させ、所定の時間経過後、時間ｔ＋１では時間幅ｔ＋１のｔ＋１時系列データを前記ディスプレイに更新表示させることによって、前記時系列情報の内、最新の時系列データを前記ディスプレイに更新表示させる場合、
既に前記ディスプレイに表示されている単数または複数項目の時系列情報の中でも、閲覧側が解像度調整を行いたい調整時系列情報を選択し、続けて前記調整時系列情報の解像度を調整・操作することで、伝送条件を確定させる工程と、
前記閲覧側処理装置の端末から送信された前記伝送条件の信号をデータ生成側処理装置の端末で受信させる工程と、
データ生成側処理装置にて、前記調整時系列情報における前記ｔ＋１時系列データに対応する原時系列データを分解・圧縮処理させ、得られた複数の圧縮時系列データから所要の圧縮時系列データを自動抽出させて圧縮時系列データを得る工程と、
前記圧縮時系列データを圧縮コードにコード化する工程と、
前記圧縮コードをデータ生成側処理装置の端末から閲覧側処理装置の端末へ伝送させる工程と、
前記閲覧側処理装置の端末にて受信された前記圧縮コードを展開して、解像度が調整された前記ｔ＋１時系列データを前記閲覧側のディスプレイに更新表示させる工程とを有することを特徴とする機器およびシステムの遠隔監視方法。
【請求項２】
時系列情報を構成する時間的に連続性のある複数の時系列データを閲覧側のディスプレイに表示させ、時間ｔでは時間幅ｔのｔ時系列データを前記ディスプレイに表示させ、所定の時間経過後、時間ｔ＋１では時間幅ｔ＋１のｔ＋１時系列データを前記ディスプレイに追加表示させることによって、最新の時系列データを前記ディスプレイに追加表示させる場合、
既に前記ディスプレイに表示されている単数または複数項目の前記時系列情報の中でも、閲覧側が解像度調整を行いたい調整時系列情報を選択し、続けて前記調整時系列情報の解像度を調整・操作することで、伝送条件を確定させる工程と、
前記閲覧側処理装置の端末から送信された前記伝送条件の信号をデータ生成側処理装置の端末で受信させる工程と、
データ生成側処理装置にて、前記調整時系列情報における前記ｔ＋１時系列データに対応する原時系列データを分解・圧縮処理させ、得られた複数の圧縮時系列データから所要の圧縮時系列データを自動抽出させて圧縮時系列データを得る工程と、
前記圧縮時系列データを圧縮コードにコード化する工程と、
前記圧縮コードをデータ生成側処理装置の端末から閲覧側処理装置の端末へ伝送させる工程と、
前記閲覧側処理装置の端末にて受信された前記圧縮コードを展開して、解像度が調整された前記ｔ＋１時系列データを前記閲覧側のディスプレイに追加表示させる工程とを有することを特徴とする機器およびシステムの遠隔監視方法。
【請求項３】
時系列情報を構成する時間的に連続性のある複数の時系列データの内、時間ｔでは時間幅ｔのｔ時系列データを閲覧側のディスプレイに表示させ、所定の時間経過後、時間ｔ＋１では時間幅ｔ＋１のｔ＋１時系列データを前記ディスプレイに更新表示させることによって、前記時系列情報の内、最新の時系列データを前記ディスプレイに更新表示させる場合、
データ生成側処理装置にて、前記時系列データに対応する原時系列データを分解・圧縮処理させ、得られた複数の圧縮時系列データから所要の圧縮時系列データを自動抽出させて圧縮時系列データを得るとき、伝送データ容量に対応する分解レベルの前記圧縮時系列データを得る工程と、
前記圧縮時系列データを圧縮コードにコード化する工程と、
前記圧縮コードをデータ生成側処理装置の端末から閲覧側処理装置の端末へ伝送させる工程と、
前記閲覧側処理装置の端末にて受信された前記圧縮コードを展開して、解像度が調整された前記ｔ＋１時系列データを前記閲覧側のディスプレイに更新表示させる工程とを有することを特徴とする機器およびシステムの遠隔監視方法。
【請求項４】
時系列情報を構成する時間的に連続性のある複数の時系列データを閲覧側のディスプレイに表示させ、時間ｔでは時間幅ｔのｔ時系列データを前記ディスプレイに追加表示させ、所定の時間経過後、時間ｔ＋１では時間幅ｔ＋１のｔ＋１時系列データを前記ディスプレイに追加表示させることによって、最新の時系列データを前記ディスプレイに追加表示させる場合、
データ生成側処理装置にて、前記時系列データに対応する原時系列データを分解・圧縮処理させ、得られた複数の圧縮時系列データから所要の圧縮時系列データを自動抽出させて圧縮時系列データを得るとき、伝送データ容量に対応する分解レベルの前記圧縮時系列データを得る工程と、
前記圧縮時系列データを圧縮コードにコード化する工程と、
前記圧縮コードをデータ生成側処理装置の端末から閲覧側処理装置の端末へ伝送させる工程と、
前記閲覧側処理装置の端末にて受信された前記圧縮コードを展開して、解像度が調整された前記ｔ＋１時系列データを前記閲覧側のディスプレイに追加表示させる工程とを有することを特徴とする機器およびシステムの遠隔監視方法。
【請求項５】
前記閲覧側のディスプレイに表示させる前記時系列情報の項目数を変化させるとき、項目数を変化させる前後で、全項目の伝送データ容量を同一、あるいは所定の許容上下限値内に収まるような分解レベルの前記圧縮時系列データを得ることを特徴とする請求項３または４記載の機器およびシステムの遠隔監視方法。
【請求項６】
前記複数の圧縮時系列データを自動抽出させて前記圧縮時系列データを得る場合、伝送環境負荷が大きいと評価されるときには、複数の圧縮時系列データから伝送データ容量が伝送環境・受信環境の処理に負荷を掛けない程度かつ低画質の低解像度に相当する圧縮時系列データを得る一方、伝送環境負荷が小さいと評価されるときには、伝送データ容量が伝送環境・受信環境の処理に負荷を掛けない程度かつ高画質の高解像度に相当する分解レベルの前記圧縮時系列データを得ることを特徴とする請求項３または４記載の機器およびシステムの遠隔監視方法。
【請求項７】
前記圧縮コードのヘッダ部に、前記時系列データの発生時刻を記録させ、この発生時刻と、前記閲覧側端末にて前記圧縮コードを受信した受信時刻とを比較させ、伝送環境負荷を間接的に評価させることを特徴とする請求項６記載の機器およびシステムの遠隔監視方法。
【請求項８】
前記複数の圧縮時系列データを自動抽出させて前記圧縮時系列データを得る場合、変動成分の変化に応じた前記圧縮時系列データを得ることを特徴とする請求項３または４記載の機器およびシステムの遠隔監視方法。
【請求項９】
前記複数の圧縮時系列データを自動抽出させて前記圧縮時系列データを得る場合、前記変動成分の変化が所定値を超えたときには、直ちに所定値を超えた時間幅の時系列データについて解像度を上げて表示できる前記圧縮時系列データを得る一方、前記変動成分の変化が所定値を割り、次の時間幅についても連続して前記変動成分の変化が所定値を割ったとき、２回目に所定値を割った時間幅の時系列データについて解像度を下げて表示できる前記圧縮時系列データを得ることを特徴とする請求項３または４記載の機器およびシステムの遠隔監視方法。
【請求項１０】
時間ｔでは時間幅ｔのｔ時系列データを閲覧側のディスプレイに表示させ、所定の時間経過後、時間ｔ＋１では時間幅ｔのｔ時系列データの表示解像度を変更して前記ディスプレイに再表示させる場合、
データ生成側処理装置にて、前記ｔ時系列データに対応する原時系列データを分解・圧縮処理させ、得られた複数の圧縮時系列データから所要の圧縮時系列データを自動抽出させて圧縮時系列データを得るとき、伝送データ容量が小さくかつ低画質の低解像度に対応する分解レベルの前記圧縮時系列データを得る工程と、
前記圧縮時系列データを圧縮コードにコード化する工程と、
前記圧縮コードをデータ生成側処理装置の端末から閲覧側処理装置の端末へ伝送させる工程と、
標準的な伝送データ容量かつ標準的な画質の中解像度に対応する分解レベルの前記圧縮時系列データを得る工程と、
前記圧縮時系列データを圧縮コードにコード化する工程と、
前記圧縮コードをデータ生成側処理装置の端末から閲覧側処理装置の端末へ伝送させる工程と、
前記伝送データ容量が大きくかつ高画質の高解像度に対応する分解レベルの前記圧縮時系列データを得る工程と、
前記圧縮時系列データを圧縮コードにコード化する工程と、
前記圧縮コードをデータ生成側処理装置の端末から閲覧側処理装置の端末へ伝送させる工程とを有し、前記低解像度に相当する圧縮コードから前記高解像度に相当する圧縮コードを順次自動送信させることを特徴とする機器およびシステムの遠隔監視方法。
【請求項１１】
前記ｔ時系列データに関して伝送データ容量が小さくかつ低画質の低解像度に相当する前記圧縮時系列データをコード化させ、前記圧縮コードを自動伝送させた後、前記ｔ時系列データに関する中解像度に相当する前記前記圧縮時系列データを抽出させるか、あるいは、前記ｔ＋１時系列データに関する低解像度に相当する前記圧縮時系列データを抽出させるかを、前記ｔ＋１時系列データに相当する前記圧縮コードの伝送までに時間的な余裕があるか否かにより判断させることを特徴とする請求項３、４または１０記載の機器およびシステムの遠隔監視方法。
【請求項１２】
前記ｔ＋１時系列データの低解像度に相当する圧縮コードを伝送させる場合、閲覧側処理装置内部の受信バッファに既に受信されている前記ｔ時系列データのデータ成分をクリアさせることで前記ｔ時系列データの中解像度に相当する圧縮コードの展開・表示をスキップさせ、クリアされた前記受信バッファに前記ｔ＋１時系列データの低解像度に相当する前記圧縮コードを伝送させることを特徴とする請求項１１記載の機器およびシステムの遠隔監視方法。
【請求項１３】
時系列情報を構成する時間的に連続性のある複数の時系列データを閲覧側のディスプレイに表示させ、前記ディスプレイに表示された時系列データの表示解像度を変更して再表示させる場合、
既に前記ディスプレイに表示されている前記時系列データの中でも、閲覧側が解像度調整を行いたい調整時系列データを選択し、続けて前記調整時系列データの解像度を調整・操作することで、伝送条件を確定させる工程と、
前記閲覧側処理装置の端末からの前記伝送条件の信号をデータ生成側処理装置の端末で受信させる工程と、
データ生成側処理装置にて、前記調整時系列データに対応する原時系列データを分解・圧縮処理させ、得られた複数の圧縮時系列データから所要の圧縮時系列データを自動抽出させて圧縮時系列データを得る工程と、
前記圧縮時系列データを圧縮コードにコード化する工程と、
前記圧縮コードをデータ生成側処理装置の端末から閲覧側処理装置の端末へ伝送させる工程と、
前記閲覧側処理装置の端末にて受信された前記圧縮コードを展開して、前記閲覧側のディスプレイに解像度が調整された前記時系列データを再表示させる工程とを有することを特徴とする機器およびシステムの遠隔監視方法。
【請求項１４】
既に前記ディスプレイに表示されている前記時系列データの中から、調整時系列データを選択し、続けて前記調整時系列データの解像度を調整・操作し伝送条件を確定させることで、前記ディスプレイに表示される前記調整時系列データ以外の自動調整時系列データについても、前記調整時系列データの前記伝送条件と同様に自動確定させることを特徴とする請求項３、４または１３記載の機器およびシステムの遠隔監視方法。
【請求項１５】
既に前記ディスプレイに複数の時系列情報が表示され、前記調整時系列データから構成される時系列情報とは異なる時系列情報で、かつ前記調整時系列データと同等の時間幅で生成された時系列データを自動調整時系列データとして自動調整させることを特徴とする請求項１４記載の機器およびシステムの遠隔監視方法。
【発明の詳細な説明】
【０００１】
【発明の属する技術分野】
本発明は、各種機器および経済・金融システムを含む一般的なシステムの運用・運転・稼働の結果として生成される各種時系列データを、データ発生源の遠隔地において閲覧することで、効率的に機器およびシステムを監視する技術に係り、監視ニーズおよび伝送媒体の容量負荷に柔軟に対応できる機器およびシステムの遠隔監視方法に関する。
【０００２】
【従来の技術】
発電プラント、化学プラント、鉄鋼プラント等の各種プラントの遠隔監視システムにおいて、遠隔監視システムを構築する段階で、監視ニーズに応じて機器およびシステムに関する時系列データの解像度を設定する。
【０００３】
遠隔監視システムでは、データ生成側処理装置にて、所定周期による原時系列データに必要に応じて分解・圧縮処理を加えることにより、種々の分解レベルにおける複数の圧縮時系列データが得られる。次いで、複数の圧縮時系列データの中から所定の圧縮時系列データを抽出させ、圧縮時系列データをコード化させて得られた圧縮コードを閲覧側処理装置の端末に伝送させる。最後に閲覧側処理装置にて圧縮コードを展開し、閲覧側のディスプレイに表示する方式が一般的である。
【０００４】
機器およびシステムに関する時系列データの遠隔監視は、監視対象と遠隔に位置するパソコン・携帯電話・ＰＤＡ等の各種モバイル機器をはじめとする多様な受信端末を用いて受信・展開し、ディスプレイに表示される時系列データを閲覧することにより行われる。
【０００５】
加えて、実際のプラントの遠隔監視システムにおいては、時系列情報を構成し、時間的に連続性のある複数の時系列データを閲覧することによって、さらに、１項目の時系列情報のみではなく、複数項目の時系列情報における複数の時系列データを閲覧することによって行う場合が多い。
【０００６】
複数項目の時系列情報を閲覧することで機器およびシステムを監視する場合、機器およびシステムに変化が生じたとき、時系列情報を構成する時間的に連続性のある複数の時系列データから時間的な比較・評価を行い、さらには、複数項目の時系列情報から多元的な比較・評価を行うことで、時系列データ同士の相関関係やステップＳ／Ｎ比の違い等を容易に把握することができ、機器およびシステムの異常の判断に有効である。
【０００７】
図１２は、時系列データの解像度を選択する株価トレンドデータの選択ディスプレイの一例を示す。
【０００８】
図１２に示される株価トレンドデータの閲覧では、閲覧側は閲覧対象とする株銘柄および株価データに関して、閲覧側のディスプレイ上で日足時系列データ、週足時系列データおよび月足時系列データの各データ等を選択することで、表示させるデータの解像度を自動的に確定させることになる。閲覧側のディスプレイ上で選択した時系列データをディスプレイに表示させることで、閲覧側が希望する時系列データを閲覧することができる。
【０００９】
【発明が解決しようとする課題】
従来の時系列データによる機器およびシステムの遠隔監視方法では、時系列データのデータ成分の伝送前に、表示させる時系列データを確定させることによって、固定的な時系列データのデータ成分が伝送される。このため、監視ニーズに応じた伝送・表示速度および解像度の時系列データが得られず、機器およびシステムの遠隔監視には不充分な場合が多い。
【００１０】
まず、データ成分の伝送前に、表示させる時系列データの解像度が固定されていると、ネットワーク容量の変動に対応できない。ネットワーク容量は刻々と変動するものであり、伝送環境負荷が大きい場合もある。あるいは携帯電話での監視のように、時系列データの受信端末性能が低い場合がある。これらの場合のように、必ずしも時系列データの伝送データ容量を伝送環境および受信環境が整っていない場合、データ伝送時間が増大し、実際に時系列データの閲覧スタートまでに長いタイムラグが発生する。
【００１１】
また、複数項目の時系列情報を閲覧することで機器およびシステムを監視する場合、機器およびシステムに変化が生じたときに時間的な比較・評価、さらには、多元的な比較・評価を行うので、閲覧対象とする時系列情報の項数を増減させるときも伝送環境および受信環境に対応させるべきである。
【００１２】
さらに、データ成分の伝送前に、表示させる時系列データの解像度が固定されていると、機器およびシステムの操業状態の変化に対応できない。機器およびシステムが安定した操業になると、詳細な情報を必要とせず、粗い挙動、すなわち低画質の低解像度の時系列データの閲覧で充分な場合がある一方、機器およびシステムに変化が起きる過渡時には、その対処や原因追求のため詳細な情報、すなわち高画質で高解像度の時系列データの閲覧が必要になる。
【００１３】
したがって、変動するネットワーク容量、および時系列データの変動成分の変化から、自動的に解像度調整を行うシステムが構築されれば、効率的な機器およびシステムの監視が可能となる。
【００１４】
なお、データ成分の伝送前に、表示させる時系列データの解像度が固定されていると、監視ニーズに沿った時系列データの伝送・表示速度および解像度が得られず、機器およびシステムの遠隔監視には不充分な場合が多い。加えて、変動するネットワーク容量および時系列データの変動成分の変化から、自動的に解像度調整を行うシステムにおいては、必ずしも監視ニーズ応じた遠隔監視ができないという問題があった。
【００１５】
図１３は機器およびシステムの遠隔監視方法を示すフローチャートである。
【００１６】
図１３のフローチャートでは、例えば、図１２の選択画面上で、閲覧側が閲覧側のディスプレイに表示したい時系列データを選択することで、データ生成側処理装置の端末から閲覧側処理装置の端末へ伝送させる伝送条件を確定させる（ステップＳ１）。
【００１７】
次いで、閲覧側処理装置の端末から送信されたステップＳ１の伝送条件の信号をデータ生成側処理装置の端末で受信させる（ステップＳ２）。
【００１８】
さらに、データ生成側処理装置にて、ステップＳ１によって確定された時系列データに対応する原時系列データに対して多重解像度変換を行わせ、多種の分解係数によって種々の分解時系列データを得る。種々の分解時系列データを必要に応じてしきい値処理・主要ピーク選択処理をそれぞれ行うことで、各分解レベルの種々の圧縮時系列データに圧縮させる。また、種々の圧縮時系列データから、所定の解像度における分解レベルの圧縮時系列データを抽出させる。得られた圧縮時系列データを圧縮コードにコード化させる（ステップＳ３）。
【００１９】
加えて、ステップＳ３による圧縮コードをデータ生成側処理装置の端末からネットワークを介して閲覧側処理装置の端末へ伝送させる（ステップＳ４）。
【００２０】
最後に、ステップＳ４の圧縮コードが閲覧側処理装置の端末で受信される。また、閲覧側処理装置にて圧縮コードを展開させ、閲覧側のディスプレイに閲覧側が選択した時系列データが表示され（ステップＳ５）終了する。
【００２１】
図１３のフローチャートによって、機器およびシステムに関する原時系列データから最終的に圧縮コードを生成することで、情報をコンパクトにコード化することができる。
【００２２】
コード化された圧縮コードを機器およびシステムの遠隔監視に利用することによって、従来よりも小さい伝送データ容量の情報を伝送できるので、伝送環境および受信環境の負荷を軽減でき、かつ高速伝送が可能となる。
【００２３】
本発明は、このような問題を解決するために提案されたものであり、伝送データ容量を閲覧側の監視ニーズ、並びに伝送環境および端末環境に柔軟に対応させることができ、必要に応じて時系列データの解像度を調整して更新表示・追加表示・再表示させて遠隔監視することができる機器およびシステムの遠隔監視方法を提供することを目的とする。
【００２４】
また、本発明の他の目的は、伝送データ容量を閲覧側の監視ニーズ、並びに伝送環境および端末環境に柔軟に対応させることができ、刻々と変化する伝送環境の状況を的確に推測し、時系列データ生成時刻から直ちに閲覧できる最大限の画質の時系列データを自動的に更新表示・追加表示させて遠隔監視することができる機器およびシステムの遠隔監視方法を提供することを目的とする。
【００２５】
また、本発明の別の目的は、伝送データ容量を閲覧側の監視ニーズ、並びに伝送環境および端末環境に柔軟に対応させることができ、必要最小限の画質の時系列データを自動的に更新表示・追加表示させて監視することができる機器およびシステムの遠隔監視方法を提供することにある。
【００２６】
【課題を解決するための手段】
本発明に係る機器およびシステムの遠隔監視方法は、上述した課題を解決するために請求項１に記載したように、時系列情報を構成する時間的に連続性のある複数の時系列データの内、時間ｔでは時間幅ｔのｔ時系列データを閲覧側のディスプレイに表示させ、所定の時間経過後、時間ｔ＋１では時間幅ｔ＋１のｔ＋１時系列データを前記ディスプレイに更新表示させることによって、前記時系列情報の内、最新の時系列データを前記ディスプレイに更新表示させる場合、既に前記ディスプレイに表示されている単数または複数項目の時系列情報の中でも、閲覧側が解像度調整を行いたい調整時系列情報を選択し、続けて前記調整時系列情報の解像度を調整・操作することで、伝送条件を確定させる工程と、前記閲覧側処理装置の端末から送信された前記伝送条件の信号をデータ生成側処理装置の端末で受信させる工程と、データ生成側処理装置にて、前記調整時系列情報における前記ｔ＋１時系列データに対応する原時系列データを分解・圧縮処理させ、得られた複数の圧縮時系列データから所要の圧縮時系列データを自動抽出させて圧縮時系列データを得る工程と、前記圧縮時系列データを圧縮コードにコード化する工程と、前記圧縮コードをデータ生成側処理装置の端末から閲覧側処理装置の端末へ伝送させる工程と、前記閲覧側処理装置の端末にて受信された前記圧縮コードを展開して、解像度が調整された前記ｔ＋１時系列データを前記閲覧側のディスプレイに更新表示させる工程とを有することを特徴とする。
【００２７】
さらに、本発明の機器およびシステムの遠隔監視方法は、請求項２に記載したように、時系列情報を構成する時間的に連続性のある複数の時系列データを閲覧側のディスプレイに表示させ、時間ｔでは時間幅ｔのｔ時系列データを前記ディスプレイに表示させ、所定の時間経過後、時間ｔ＋１では時間幅ｔ＋１のｔ＋１時系列データを前記ディスプレイに追加表示させることによって、最新の時系列データを前記ディスプレイに追加表示させる場合、既に前記ディスプレイに表示されている単数または複数項目の前記時系列情報の中でも、閲覧側が解像度調整を行いたい調整時系列情報を選択し、続けて前記調整時系列情報の解像度を調整・操作することで、伝送条件を確定させる工程と、前記閲覧側処理装置の端末から送信された前記伝送条件の信号をデータ生成側処理装置の端末で受信させる工程と、データ生成側処理装置にて、前記調整時系列情報における前記ｔ＋１時系列データに対応する原時系列データを分解・圧縮処理させ、得られた複数の圧縮時系列データから所要の圧縮時系列データを自動抽出させて圧縮時系列データを得る工程と、前記圧縮時系列データを圧縮コードにコード化する工程と、前記圧縮コードをデータ生成側処理装置の端末から閲覧側処理装置の端末へ伝送させる工程と、前記閲覧側処理装置の端末にて受信された前記圧縮コードを展開して、解像度が調整された前記ｔ＋１時系列データを前記閲覧側のディスプレイに追加表示させる工程とを有することを特徴とする。
【００２８】
また、本発明の機器およびシステムの遠隔監視方法は、請求項３に記載したように、時系列情報を構成する時間的に連続性のある複数の時系列データの内、時間ｔでは時間幅ｔのｔ時系列データを閲覧側のディスプレイに表示させ、所定の時間経過後、時間ｔ＋１では時間幅ｔ＋１のｔ＋１時系列データを前記ディスプレイに更新表示させることによって、前記時系列情報の内、最新の時系列データを前記ディスプレイに更新表示させる場合、データ生成側処理装置にて、前記時系列データに対応する原時系列データを分解・圧縮処理させ、得られた複数の圧縮時系列データから所要の圧縮時系列データを自動抽出させて圧縮時系列データを得るとき、伝送データ容量に対応する分解レベルの前記圧縮時系列データを得る工程と、前記圧縮時系列データを圧縮コードにコード化する工程と、前記圧縮コードをデータ生成側処理装置の端末から閲覧側処理装置の端末へ伝送させる工程と、前記閲覧側処理装置の端末にて受信された前記圧縮コードを展開して、解像度が調整された前記ｔ＋１時系列データを前記閲覧側のディスプレイに更新表示させる工程とを有することを特徴とする。
【００２９】
続いて、本発明の機器およびシステムの遠隔監視方法は、請求項４に記載したように、時系列情報を構成する時間的に連続性のある複数の時系列データを閲覧側のディスプレイに表示させ、時間ｔでは時間幅ｔのｔ時系列データを前記ディスプレイに追加表示させ、所定の時間経過後、時間ｔ＋１では時間幅ｔ＋１のｔ＋１時系列データを前記ディスプレイに追加表示させることによって、最新の時系列データを前記ディスプレイに追加表示させる場合、データ生成側処理装置にて、前記時系列データに対応する原時系列データを分解・圧縮処理させ、得られた複数の圧縮時系列データから所要の圧縮時系列データを自動抽出させて圧縮時系列データを得るとき、伝送データ容量に対応する分解レベルの前記圧縮時系列データを得る工程と、前記圧縮時系列データを圧縮コードにコード化する工程と、前記圧縮コードをデータ生成側処理装置の端末から閲覧側処理装置の端末へ伝送させる工程と、前記閲覧側処理装置の端末にて受信された前記圧縮コードを展開して、解像度が調整された前記ｔ＋１時系列データを前記閲覧側のディスプレイに追加表示させる工程とを有することを特徴とする。
【００３０】
さらに、本発明の機器およびシステムの遠隔監視方法は、請求項５に記載したように、前記閲覧側のディスプレイに表示させる前記時系列情報の項目数を変化させるとき、項目数を変化させる前後で、全項目の伝送データ容量を同一、あるいは所定の許容上下限値内に収まるような分解レベルの前記圧縮時系列データを得ることを特徴とする。
【００３１】
また、本発明の機器およびシステムの遠隔監視方法は、請求項６に記載したように、前記複数の圧縮時系列データを自動抽出させて前記圧縮時系列データを得る場合、伝送環境負荷が大きいと評価されるときには、複数の圧縮時系列データから伝送データ容量が伝送環境・受信環境の処理に負荷を掛けない程度かつ低画質の低解像度に相当する圧縮時系列データを得る一方、伝送環境負荷が小さいと評価されるときには、伝送データ容量が伝送環境・受信環境の処理に負荷を掛けない程度かつ高画質の高解像度に相当する分解レベルの前記圧縮時系列データを得ることを特徴とする。
【００３２】
続いて、本発明の機器およびシステムの遠隔監視方法は、請求項７に記載したように、前記圧縮コードのヘッダ部に、前記時系列データの発生時刻を記録させ、この発生時刻と、前記閲覧側端末にて前記圧縮コードを受信した受信時刻とを比較させ、伝送環境負荷を間接的に評価させることを特徴とする。
【００３３】
さらに、本発明の機器およびシステムの遠隔監視方法は、請求項８に記載したように、前記複数の圧縮時系列データを自動抽出させて前記圧縮時系列データを得る場合、変動成分の変化に応じた前記圧縮時系列データを得ることを特徴とする。
【００３４】
また、本発明の機器およびシステムの遠隔監視方法は、請求項９に記載したように、前記複数の圧縮時系列データを自動抽出させて前記圧縮時系列データを得る場合、前記変動成分の変化が所定値を超えたときには、直ちに所定値を超えた時間幅の時系列データについて解像度を上げて表示できる前記圧縮時系列データを得る一方、前記変動成分の変化が所定値を割り、次の時間幅についても連続して前記変動成分の変化が所定値を割ったとき、２回目に所定値を割った時間幅の時系列データについて解像度を下げて表示できる前記圧縮時系列データを得ることを特徴とする。
【００３５】
続いて、本発明の機器およびシステムの遠隔監視方法は、請求項１０に記載したように、時間ｔでは時間幅ｔのｔ時系列データを閲覧側のディスプレイに表示させ、所定の時間経過後、時間ｔ＋１では時間幅ｔのｔ時系列データの表示解像度を変更して前記ディスプレイに再表示させる場合、データ生成側処理装置にて、前記ｔ時系列データに対応する原時系列データを分解・圧縮処理させ、得られた複数の圧縮時系列データから所要の圧縮時系列データを自動抽出させて圧縮時系列データを得るとき、伝送データ容量が小さくかつ低画質の低解像度に対応する分解レベルの前記圧縮時系列データを得る工程と、前記圧縮時系列データを圧縮コードにコード化する工程と、前記圧縮コードをデータ生成側処理装置の端末から閲覧側処理装置の端末へ伝送させる工程と、標準的な伝送データ容量かつ標準的な画質の中解像度に対応する分解レベルの前記圧縮時系列データを得る工程と、前記圧縮時系列データを圧縮コードにコード化する工程と、前記圧縮コードをデータ生成側処理装置の端末から閲覧側処理装置の端末へ伝送させる工程と、前記伝送データ容量が大きくかつ高画質の高解像度に対応する分解レベルの前記圧縮時系列データを得る工程と、前記圧縮時系列データを圧縮コードにコード化する工程と、前記圧縮コードをデータ生成側処理装置の端末から閲覧側処理装置の端末へ伝送させる工程とを有し、前記低解像度に相当する圧縮コードから前記高解像度に相当する圧縮コードを順次自動送信させることを特徴とする。
【００３６】
さらに、本発明の機器およびシステムの遠隔監視方法は、請求項１１に記載したように、前記ｔ時系列データに関して伝送データ容量が小さくかつ低画質の低解像度に相当する前記圧縮時系列データをコード化させ、前記圧縮コードを自動伝送させた後、前記ｔ時系列データに関する中解像度に相当する前記前記圧縮時系列データを抽出させるか、あるいは、前記ｔ＋１時系列データに関する低解像度に相当する前記圧縮時系列データを抽出させるかを、前記ｔ＋１時系列データに相当する前記圧縮コードの伝送までに時間的な余裕があるか否かにより判断させることを特徴とする。
【００３７】
また、本発明の機器およびシステムの遠隔監視方法は、請求項１２に記載したように、前記ｔ＋１時系列データの低解像度に相当する圧縮コードを伝送させる場合、閲覧側処理装置内部の受信バッファに既に受信されている前記ｔ時系列データのデータ成分をクリアさせることで前記ｔ時系列データの中解像度に相当する圧縮コードの展開・表示をスキップさせ、クリアされた前記受信バッファに前記ｔ＋１時系列データの低解像度に相当する前記圧縮コードを伝送させることを特徴とする。
【００３８】
続いて、本発明の機器およびシステムの遠隔監視方法は、請求項１３に記載したように、時系列情報を構成する時間的に連続性のある複数の時系列データを閲覧側のディスプレイに表示させ、前記ディスプレイに表示された時系列データの表示解像度を変更して再表示させる場合、既に前記ディスプレイに表示されている前記時系列データの中でも、閲覧側が解像度調整を行いたい調整時系列データを選択し、続けて前記調整時系列データの解像度を調整・操作することで、伝送条件を確定させる工程と、前記閲覧側処理装置の端末からの前記伝送条件の信号をデータ生成側処理装置の端末で受信させる工程と、データ生成側処理装置にて、前記調整時系列データに対応する原時系列データを分解・圧縮処理させ、得られた複数の圧縮時系列データから所要の圧縮時系列データを自動抽出させて圧縮時系列データを得る工程と、前記圧縮時系列データを圧縮コードにコード化する工程と、前記圧縮コードをデータ生成側処理装置の端末から閲覧側処理装置の端末へ伝送させる工程と、前記閲覧側処理装置の端末にて受信された前記圧縮コードを展開して、前記閲覧側のディスプレイに解像度が調整された前記時系列データを再表示させる工程とを有することを特徴とする。
【００３９】
さらに、本発明の機器およびシステムの遠隔監視方法は、請求項１４に記載したように、既に前記ディスプレイに表示されている前記時系列データの中から、調整時系列データを選択し、続けて前記調整時系列データの解像度を調整・操作し伝送条件を確定させることで、前記ディスプレイに表示される前記調整時系列データ以外の自動調整時系列データについても、前記調整時系列データの前記伝送条件と同様に自動確定させることを特徴とする。
【００４０】
最後に、本発明の機器およびシステムの遠隔監視方法は、請求項１５に記載したように、既に前記ディスプレイに複数の時系列情報が表示され、前記調整時系列データから構成される時系列情報とは異なる時系列情報で、かつ前記調整時系列データと同等の時間幅で生成された時系列データを自動調整時系列データとして自動調整させることを特徴とする。
【００４１】
【発明の実施の形態】
以下、本発明に係る機器およびシステムの遠隔監視方法の実施の形態について、添付図面を参照して説明する。
【００４２】
なお、時系列情報は、機器およびシステムに関して、時間的に連続的な情報を表したものである。時系列情報を所定の時間幅で区切ったものを時系列データとする。時系列データは、その生成された時間によって連続的に複数存在する。ここでは時間ｔを最新の時間とし、時間ｔに生成される時間幅ｔの情報をもつものをｔ時系列データと表す。さらに、時間ｔ−１、時間ｔ−２、…、は順に過去に遡る時間を表す一方、時間ｔ＋１は未来の時間を表す。
【００４３】
また、表示された時系列データに異種の時間幅の時系列データを上書き表示する場合を更新表示と表す。一方、表示された時系列データの周辺に異種の時間幅の時系列データを並べて表示する場合を追加表示と表す。なお、表示された時系列データと同一の時間幅で、異種の解像度の時系列データを上書き表示する場合を再表示と表す。
【００４４】
図１は、本発明に係る機器およびシステムの遠隔監視方法の第１実施の形態を示すイメージ図である。
【００４５】
図１では、まず、時系列情報を構成する時間的に連続性のある複数の時系列データの内、時間ｔでは時間幅ｔのｔ時系列データを閲覧側のディスプレイに表示させる。次いで、時系列情報の解像度を手動調整することによって、所定の時間経過後、時間ｔ＋１では時間幅ｔ＋１のｔ＋１時系列データを調整された解像度にてディスプレイに更新表示させるときに適用される。
【００４６】
図１は、閲覧側のディスプレイ２１を示しており、ディスプレイ２１には４項目の時系列情報が表示される。
【００４７】
図１の上段に示すディスプレイ２１は時間ｔの時の表示形式を示し、４項目の時系列情報における４種類の時系列データが表示される。ここでは、Ａ項目の時系列情報Ａにおける時間幅ｔの時系列データ（Ａ／ｔ時系列データＡ１）と、Ｂ項目の時系列情報Ｂにおける時間幅ｔの時系列データ（Ｂ／ｔ時系列データＢ１）と、Ｃ項目の時系列情報Ｃにおける時間幅ｔの時系列データ（Ｃ／ｔ時系列データＣ１）と、Ｄ項目の時系列情報Ｄにおける時間幅ｔの時系列データ（Ｄ／ｔ時系列データＤ１）とがそれぞれ任意の解像度で表示される。
【００４８】
また、図１の下段に示すディスプレイ２１は時間ｔ＋１の時の表示形式を示し、上段に示す時間幅ｔの次のタイミングである時間幅ｔ＋１のＡ／ｔ＋１時系列データＡ０と、Ｂ／ｔ＋１時系列データＢ０と、Ｃ／ｔ＋１時系列データＣ０と、Ｄ／ｔ＋１時系列データＤ０とがそれぞれ所要の解像度で表示される。
【００４９】
例えば、図１の上段のディスプレイ２１に示すように、時間ｔにおいて、各時系列データが標準的な画質の中解像度で表示されたとする。閲覧側がＡ／ｔ時系列データＡ１の解像度をアップ、Ｄ／ｔ時系列データＤ１の解像度をダウンしたい場合は、ディスプレイ２１上でＡ／ｔ時系列データＡ１およびＤ／ｔ時系列データＤ１を選択し、さらに、ディスプレイ２１上でＡ／ｔ時系列データＡ１に対して解像度をアップ操作し、Ｄ／ｔ時系列データＤ１に対して解像度をダウン操作する。
【００５０】
解像度の操作後、図１の下段のディスプレイ２１に示すように、時間ｔ＋１において、高画質の高解像度のＡ／ｔ＋１時系列データＡ０および低画質の低解像度のＤ／ｔ＋１時系列データＤ０が更新表示される。また、Ｂ／ｔ＋１時系列データＢ０、Ｃ／ｔ＋１時系列データＣ０については、上段のＢ／ｔ時系列データＢ１およびＣ／ｔ時系列データＣ１と同様に、それぞれ中解像度でディスプレイ２１に更新表示される。
【００５１】
なお、時系列データの解像度の操作は、時系列データ単位ではなく、ディスプレイ２１に表示されている複数項目の時系列データ単位で行う形でもよく、また、具体的な操作として、例えばマウスポインタによるクリック操作がある。
【００５２】
また、図１のディスプレイ２１では、低画質の解像度から順番に低解像度、中解像度、高解像度の３段階で表現したが、これは、説明し易いように３段階で表現しただけなので、特に３段階に限定されない。
【００５３】
図２は、本発明に係る機器およびシステムの遠隔監視方法の第１実施の形態を示すフローチャートである。
【００５４】
図２のフローチャートでは、図１の上段に示すように、閲覧側のディスプレイ２１には、時間ｔにおいて、既に４項目の時系列情報における時間幅ｔの時系列データが任意の解像度で表示されている（ステップＳ１０）。
【００５５】
まず、ステップＳ１０に対して、閲覧側のディスプレイ２１上で、閲覧側が解像度調整を行いたい時系列情報を選択し、続けて選択された時系列情報に関して解像度を調整・操作することで、データ生成側処理装置の端末から閲覧側処理装置の端末へ伝送させる伝送条件を確定させる（ステップＳ１１）。
【００５６】
次いで、閲覧側処理装置の端末から送信されたステップＳ１１の伝送条件の信号をデータ生成側処理装置の端末で受信させる（ステップＳ１２）。
【００５７】
さらに、時間ｔ＋１において、データ生成側処理装置にて、ステップＳ１１によって確定された時系列情報に応じ、時間幅ｔ＋１における原時系列データに対して多重解像度変換を行わせ、多種の分解係数によって種々の分解時系列データを得る。種々の分解時系列データを必要に応じてしきい値処理・主要ピーク選択処理をそれぞれ行うことで各分解レベルの種々の圧縮時系列データに圧縮させる。また、種々の圧縮時系列データから、所要の解像度における分解レベルの圧縮時系列データを抽出させて圧縮時系列データを得る。この圧縮時系列データを圧縮コードにコード化させる（ステップＳ１３）。
【００５８】
加えて、ステップＳ１３による圧縮コードをデータ生成側処理装置の端末からネットワークを介して閲覧側処理装置の端末へ伝送させる（ステップＳ１４）。
【００５９】
続いて、ステップＳ１４の圧縮コードを閲覧側処理装置の末端で受信させる。また、閲覧側処理装置にて圧縮コードを展開し、閲覧側のディスプレイに閲覧側が選択した時系列情報について閲覧側が選択した解像度にて更新表示させる（ステップＳ１５）。
【００６０】
ここで、閲覧側が閲覧側のディスプレイに更新表示された時系列情報の解像度が充分であるかを判断し（ステップＳ１６）、ステップＳ１６においてＮｏの場合、すなわち、ディスプレイに更新表示された時系列情報の解像度が充分でない場合、時系列情報の伝送条件の確定（ステップＳ１１）から再び繰り返す。
【００６１】
一方、ステップＳ１６においてＹｅｓの場合、すなわち、ディスプレイに更新表示された時系列情報の解像度が充分である場合、ステップＳ１５による時系列情報の更新表示を以って解像度調整の操作を終了する。
【００６２】
図１および図２の機器およびシステムの遠隔監視方法によると、伝送データ容量を閲覧側の監視ニーズに柔軟に対応させることができ、必要に応じて時系列データの解像度を手動調整することによって更新表示させて遠隔監視することができる。
【００６３】
図３は、本発明に係る機器およびシステムの遠隔監視方法の第２実施の形態を示すイメージ図である。
【００６４】
図３では、まず、時系列情報を構成する時間的に連続性のある複数の時系列データが閲覧側のディスプレイに表示される。次いで、時系列情報の解像度を手動調整することによって、所定の時間経過後、時間ｔ＋１では時間幅ｔ＋１のｔ＋１時系列データを調整された解像度にてディスプレイに追加表示させるときに適用される。
【００６５】
図３は、閲覧側のディスプレイ２１を示しており、ディスプレイ２１には１項目の時系列情報が表示される。
【００６６】
図３の上段に示すディスプレイ２１は時間ｔの時の表示形式を示し、Ａ項目の時系列情報Ａにおける４種類の時系列データが表示される。ここでは、Ａ項目の時系列情報Ａにおける時間幅ｔの時系列データ（Ａ／ｔ時系列データＡ１）と、同じく時間幅ｔ−１の時系列データ（Ａ／ｔ−１時系列データＡ２）と、同じく時間幅ｔ−２の時系列データ（Ａ／ｔ−２時系列データＡ３）と、同じく時間幅ｔ−３の時系列データ（Ａ／ｔ−３時系列データＡ４）とがそれぞれ任意の解像度で表示される。
【００６７】
一方、図３の上段に示すディスプレイ２１には、Ａ／ｔ時系列データＡ１の右側に、未来の情報としてＡ項目の時間幅ｔ＋１の時系列データ（Ａ／ｔ＋１時系列データＡ０）が、Ａ／ｔ時系列データＡ１と同等の解像度で追加表示される予定である。
【００６８】
また、図３の下段に示すディスプレイ２１は時間ｔ＋１の時の表示形式を示し、Ａ項目の時系列情報Ａにおける時間的に連続する５種類の時間幅の時系列データが表示される。ここでは、上段の表示に加え、Ａ／ｔ＋１時系列データＡ０が所要の解像度で追加表示される。
【００６９】
例えば、図３の上段のディスプレイ２１に示すように、時間ｔにおいて、各時系列データが標準的な画質の中解像度で表示されたとする。閲覧側が解像度をダウンしたい場合は、ディスプレイ２１上で時系列情報Ａを選択し、時系列情報Ａに対して解像度をダウン操作する。
【００７０】
解像度の操作後、下段のディスプレイ２１に示すように、時間ｔ＋１において、低解像度のＡ／ｔ＋１時系列データＡ０が追加表示される。
【００７１】
図３の機器およびシステムの遠隔監視方法によると、伝送データ容量を閲覧側の監視ニーズに柔軟に対応させることができ、必要に応じて時系列データの解像度を手動調整することによって追加表示させて遠隔監視することができる。
【００７２】
図４は、本発明に係る機器およびシステムの遠隔監視方法の第３実施の形態を示すイメージ図である。
【００７３】
図４では、まず、時系列情報を構成する時間的に連続性のある複数の時系列データが閲覧側のディスプレイに表示される。次いで、時系列情報の項目数を変化させることによって、所定の時間経過後、時間ｔ＋１では時間幅ｔ＋１のｔ＋１時系列データを調整された解像度にてディスプレイに追加表示させるときに適用される。
【００７４】
図４は、閲覧側のディスプレイ２１を示しており、上段のディスプレイ２１には３項目の時系列情報が表示され、下段のディスプレイ２１には４項目の時系列情報が表示される。
【００７５】
図４の上段に示すディスプレイ２１は時間ｔの時の表示形式を示し、３項目の時系列情報における３種類の時系列データが表示される。ここでは、Ａ項目の時系列情報Ａにおける時間幅ｔの時系列データ（Ａ／ｔ時系列データＡ１）と、Ｂ項目の時系列情報Ｂにおける時間幅ｔの時系列データ（Ｂ／ｔ時系列データＢ１）と、Ｃ項目の時系列情報における時間幅ｔの時系列データ（Ｃ／ｔ時系列データＣ１）とがそれぞれ任意の解像度で表示される。
【００７６】
一方、図４の上段に示すディスプレイ２１には、Ａ／ｔ時系列データＡ１の右側に、未来の情報としてＡ項目の時間幅ｔ＋１の時系列データ（Ａ／ｔ＋１時系列データＡ０）が、Ａ／ｔ時系列データＡ１と同等の解像度で追加表示される予定である。同様に、Ｂ／ｔ時系列データＢ１の右側にＢ／ｔ＋１時系列データＢ０が、Ｃ／ｔ時系列データＣ１の右側にＣ／ｔ＋１時系列データＣ０が、それぞれ追加表示される予定である。
【００７７】
また、図４の下段に示すディスプレイ２１は時間ｔ＋１の時の表示形式を示し、４項目の時系列情報における７種類の時系列データが表示される。ここでは、上段の表示に加え、Ａ／ｔ＋１時系列データＡ０と、Ｂ／ｔ＋１時系列データＢ０と、Ｃ／ｔ＋１時系列データＣ０と、Ｄ／ｔ＋１時系列データＤ０とがそれぞれ所要の解像度で追加表示される。
【００７８】
例えば、図４の上段のディスプレイ２１に示すように、時間ｔにおいて、各時系列データが標準的な画質の中解像度で表示されたとする。また、時間幅ｔ＋１の時系列データに関しても、時間幅ｔの時系列データと同等の中解像度で追加表示される予定である。
【００７９】
ここで、図４の上段に示すディスプレイ２１にＤ項目の時系列情報Ｄの表示を加えようと所定の操作を行う。
【００８０】
所定の操作後、図４の下段のディスプレイ２１に示すように、時間ｔ＋１において、時系列情報Ａ、時系列情報Ｂ、および時系列情報Ｃのそれぞれに関するＡ／ｔ＋１時系列データＡ０、Ｂ／ｔ＋１時系列データＢ０、およびＣ／ｔ＋１時系列データＣ０については自動的に伝送データ容量の小さい低解像度に自動調整され、ディスプレイ２１に追加表示される。一方、加えられた時系列情報Ｄに関するＤ／ｔ＋１時系列データＤ０については自動的に中解像度で表示される。ただし、各解像度成分のデータサイズが仮にほぼ等しいとする。
【００８１】
この解像度の自動調整により、所定の操作前後において、ディスプレイ２１に表示させる項目全体の伝送データ容量を維持することができる。
【００８２】
なお、図４では、時系列情報の項目数を変化させることによって、時系列データを調整された解像度にてディスプレイに追加表示させる場合を示しているが、同様に、更新表示させるときにも適用できる。
【００８３】
図４の機器およびシステムの遠隔監視方法によると、伝送データ容量を閲覧側の監視ニーズ、並びに伝送環境および端末環境に柔軟に対応させることができ、必要に応じて時系列データの解像度を自動調整させることによって更新表示・追加表示させて遠隔監視することができる。
【００８４】
図５は、本発明に係る機器およびシステムの遠隔監視方法の第４実施の形態を示すイメージ図である。
【００８５】
図５では、まず、時系列情報を構成する時間的に連続性のある複数の時系列データの内、時間ｔでは時間幅ｔのｔ時系列データを閲覧側のディスプレイに表示させる。次いで、伝送環境・受信環境から解像度を自動調整させることによって、所定の時間経過後、時間ｔ＋１では時間幅ｔ＋１のｔ＋１時系列データを調整された解像度にてディスプレイに更新表示させるときに適用される。
【００８６】
また、図５では、まず、時系列情報を構成する時間的に連続性のある複数の時系列データが閲覧側のディスプレイに表示される。次いで、伝送環境・受信環境から解像度を自動調整させることによって、所定の時間経過後、時間ｔ＋１では時間幅ｔ＋１のｔ＋１時系列データを調整された解像度にてディスプレイに追加表示させるときに適用される。
【００８７】
図５は、閲覧側処理装置２５の端末とデータ生成側処理装置２６の端末とがネットワーク２７を介して接続され、閲覧側処理装置２５およびデータ生成側処理装置２６にはそれぞれディスプレイ２１およびディスプレイ２８が備えられる。
【００８８】
加えて、データ生成側処理装置２６には、機器およびシステム（図示しない）が電気的に接続される。
【００８９】
図５の上段は時間ｔの時の伝送状態を示し、伝送環境（ネットワーク）負荷が大きく伝送データ容量の小さな情報でないと直ちに伝送できないときを示す。また中段は時間ｔの時の伝送状態を示し、伝送環境負荷が標準（中）なとき、加えて下段は、伝送環境負荷が小さく伝送データ容量の大きな情報を直ちに伝送できるときを示す。なお、伝送環境負荷が標準（中）の時は、上段と中段のときの中間のときと考えてよい。
【００９０】
例えば、図５の上段に示すように時間ｔの時、伝送環境負荷が大きいと判断されるとき、データ生成側処理装置２６の端末から閲覧側処理装置２５の端末へ、伝送環境に負荷を掛けない程度の低解像度（Ｅ）に相当するＥ／ｔ圧縮コードＥ１を伝送させる。また、閲覧側処理装置２５で圧縮コードを展開させ、閲覧側のディスプレイ２１に低解像度の時系列データを更新表示・追加表示させる。
【００９１】
一方、図５の中段に示すように時間ｔの時、伝送環境負荷が標準と判断されるとき、データ生成側処理装置２６の端末から閲覧側処理装置２５の端末へ、標準的な中解像度（Ｆ）に相当するＦ／ｔ圧縮コードＦ１を伝送させる。また、閲覧側処理装置２５で圧縮コードを展開させ、閲覧側のディスプレイ２１に中解像度の時系列データを更新表示・追加表示させる。
【００９２】
また、図５の下段に示すように時間ｔの時、伝送環境負荷が小さいと判断されるとき、データ生成側処理装置２６の端末から閲覧側処理装置２５の端末へ、高画質の高解像度（Ｇ）に相当するＧ／ｔ圧縮コードＧ１を伝送させる。また、閲覧側処理装置２５で圧縮コードを展開させ、閲覧側のディスプレイ２１に高解像度の時系列データを更新表示・追加表示させる。
【００９３】
図５の機器およびシステムの遠隔監視方法によると、伝送データ容量を閲覧側の監視ニーズ、並びに伝送環境および端末環境に柔軟に対応させることができ、刻々と変化する伝送環境の状況を的確に推測し、時系列データ生成時刻から直ちに閲覧できる最大限の画質の時系列データを自動的に更新表示・追加表示させて遠隔監視することができる。
【００９４】
ところで、伝送環境負荷の評価方法として、時系列データの生成時刻と閲覧側端末にて圧縮コードを受信した受信時刻とを比較することで、間接的に伝送環境負荷評価を行わせることもできる。例えば、時系列データの生成時刻は圧縮コードのヘッダ部等に記録させることもできる。
【００９５】
図６は、本発明に係る機器およびシステムの遠隔監視方法の第５実施の形態を示すイメージ図である。
【００９６】
図６では、まず、時系列情報を構成する時間的に連続性のある複数の時系列データが閲覧側のディスプレイに表示される。次いで、時系列情報の変動成分の変化から解像度を自動調整させることによって、所定の時間経過後、時間ｔ＋１では時間幅ｔ＋１のｔ＋１時系列データを調整された解像度にてディスプレイに追加表示させるときに適用される。
【００９７】
図６の下段は、閲覧側のディスプレイ２１を示しており、１項目の時系列情報が表示される。
【００９８】
図６の下段のディスプレイ２１は、時間ｔの時の表示形式を示し、１項目の時系列情報における１１種類の時系列データが表示される。ここでは、右端のＡ項目の時系列情報Ａにおける時間幅ｔのＡ／ｔ時系列データＡ１と、同じく時間幅ｔ−１のＡ／ｔ−１時系列データＡ２と、同じく時間幅ｔ−２のＡ／ｔ−２時系列データＡ３と、…、同じく時間幅ｔ−１０のＡ／ｔ−１０時系列データＡ１１とがそれぞれ所要の解像度で表示される。
【００９９】
また、図６の上段のグラフはデータ成分を伝送する前にデータ生成側処理装置で作製されるものであり、下段の各々の時系列データに対応するように、しきい値の大きさを示す。
【０１００】
例えば、図６の下段において時間ｔ−１０の時、Ａ／ｔ−１０時系列データＡ１１に対応する上段のしきい値の大きさが、解像度切替ラインａを超えることなく安定した変動を感知しているので、データ生成側処理装置にて、伝送データ容量が小さくかつ低画質の低解像度に相当する圧縮コードを閲覧側処理装置の端末に伝送させ、閲覧側のディスプレイ２１にＡ／ｔ−１０時系列データＡ１１を低解像度で表示させる。
【０１０１】
次いで、所定の時間経過後、時間ｔ−９の時に生成される時間幅ｔ−９のＡ／ｔ−９時系列データＡ１０と、時間ｔ−８の時のＡ／ｔ−８時系列データＡ９と、時間ｔ−７の時のＡ／ｔ−７時系列データＡ８とは、それぞれＡ／ｔ−１０時系列データＡ１１が低解像度で表示された理由と同様に低解像度で追加表示させる。
【０１０２】
さらに、時間ｔ−６の時、Ａ／ｔ−６時系列データＡ７は、Ａ／ｔ−６時系列データＡ７に対応するしきい値の大きさが解像度切替ラインａを超えるので、データ生成側処理装置にて、伝送データ容量が標準でかつ標準的な画質の中解像度に相当する圧縮コードを閲覧側処理装置の端末に伝送させ、閲覧側のディスプレイ２１にＡ／ｔ−６時系列データＡ７を中解像度で追加表示させる。
【０１０３】
加えて、時間ｔ−５の時、Ａ／ｔ−５時系列データＡ６は、Ａ／ｔ−５時系列データＡ６に対応するしきい値の大きさが解像度切替ラインｂを超えるので、データ生成側処理装置にて、伝送データ容量が大きくかつ高画質の高解像度に相当する圧縮コードを閲覧側処理装置の端末に伝送させ、閲覧側のディスプレイ２１にＡ／ｔ−５時系列データＡ６を高解像度で追加表示させる。
【０１０４】
次いで、時間ｔ−４の時、Ａ／ｔ−４時系列データＡ５は、Ａ／ｔ−４時系列データＡ５に対応するしきい値の大きさが解像度切替ラインｂを割るが、Ａ／ｔ−５時系列データＡ６を高解像度で追加表示させる。
【０１０５】
さらに、時間ｔ−３の時、Ａ／ｔ−３時系列データＡ４は、Ａ／ｔ−３時系列データＡ４に対応するしきい値の大きさが解像度切替ラインｂを割り、時間ｔ−４の時に生成されるＡ／ｔ−４時系列データＡ５と連続して解像度切替ラインｂを割るので、中解像度に相当する圧縮コードを閲覧側処理装置の端末に伝送させ、閲覧側のディスプレイ２１にＡ／ｔ−３時系列データＡ４を中解像度で追加表示させる。
【０１０６】
加えて、時間ｔ−２の時、Ａ／ｔ−２時系列データＡ３は、Ａ／ｔ−２時系列データＡ３に対応するしきい値の大きさが解像度切替ラインａを割るが、Ａ／ｔ−２時系列データＡ３を中解像度で追加表示させる。
【０１０７】
次いで、時間ｔ−１の時、Ａ／ｔ−１時系列データＡ２は、Ａ／ｔ−１時系列データＡ２に対応するしきい値の大きさが解像度切替ラインａを割り、時間幅ｔ−２の時と連続して解像度切替ラインａを割るので、低解像度に相当する圧縮コードを閲覧側処理装置の端末に伝送させ、閲覧側のディスプレイ２１にＡ／ｔ−１時系列データＡ２を低解像度で追加表示させる。
【０１０８】
最後に、時間ｔの時、Ａ／ｔ時系列データＡ１は、Ａ／ｔ−１時系列データＡ２と同等の低解像度で追加表示させる。
【０１０９】
なお、図６では、時系列情報の変動成分の変化から解像度を自動調整させることによって、時系列データを調整された解像度にてディスプレイに追加表示させる場合を示しているが、同様に、更新表示させるときにも適用できる。
【０１１０】
図６の機器およびシステムの遠隔監視方法によると、伝送データ容量を閲覧側の監視ニーズ、並びに伝送環境および端末環境に柔軟に対応させることができ、必要最小限の画質の時系列データを自動的に更新表示・追加表示させて監視することができる。
【０１１１】
図７は、本発明に係る機器およびシステムの遠隔監視方法の第６実施の形態を示すイメージ図である。
【０１１２】
図７では、まず、伝送データ容量が小さくかつ低画質の低解像度の時系列データを閲覧側のディスプレイに表示させる。次いで、時系列データの解像度を段階的に上げてディスプレイに再表示させるときに適用される。
【０１１３】
図７は、閲覧側処理装置２５の端末とデータ生成側処理装置２６の端末とがネットワーク２７を介して接続され、閲覧側処理装置２５およびデータ生成側処理装置２６にはそれぞれディスプレイ２１およびディスプレイ２８が備えられる。
【０１１４】
加えて、データ生成側処理装置２６には、機器およびシステム（図示しない）が電気的に接続され、さらに、データ生成側処理装置２６内部にはメモリ２９および処理部（図示しない）が備えられる。
【０１１５】
図７に示すように、時間ｔにおける原時系列データを、データ生成側処理装置２６内部のメモリ２９に保存させる。
【０１１６】
次いで、データ生成側処理装置２６内部のメモリ２９の時系列データを処理部で分解・圧縮処理させる。さらに、分解・圧縮処理された複数の圧縮時系列データから、伝送データ容量が小さくかつ低画質の低解像度（Ｅ）の時系列データに相当する圧縮時系列データを抽出させる。また、抽出された圧縮時系列データをコード化したＥ／ｔ圧縮コードＥ１をデータ生成側処理装置２６の端末に伝送させる。
【０１１７】
さらに、Ｅ／ｔ圧縮コードＥ１をデータ生成側処理装置２６の端末からネットワーク２７を介して閲覧側処理装置２５の端末に伝送させる。
【０１１８】
その後、伝送データ容量が標準的でかつ標準的な画質の中解像度（Ｆ）の時系列データに相当するＦ／ｔ圧縮コードＦ１を、続いて伝送データ容量が大きくかつ高画質の高解像度（Ｇ）の時系列データに相当するＧ／ｔ圧縮コードＧ１を閲覧側処理装置２５の端末に伝送させる。
【０１１９】
すなわち、低解像度に相当するＥ／ｔ圧縮コードＥ１から高解像度に相当するＧ／ｔ圧縮コードＧ１までを順次伝送させ、閲覧側のディスプレイに直ちに機器およびシステムについての粗い挙動を表示させ、段階的に詳細な挙動を再表示させる。
【０１２０】
図７の機器およびシステムの遠隔監視方法によると、伝送データ容量を閲覧側の監視ニーズ、並びに伝送環境および端末環境に柔軟に対応させることができ、必要に応じて時系列データの解像度を自動調整させることによって再表示させて遠隔監視することができる。
【０１２１】
図８は、本発明に係る機器およびシステムの遠隔監視方法の第７実施の形態を示すイメージ図である。
【０１２２】
図８では、まず、時間ｔではデータ生成側にて刻々と変化する伝送環境の負荷量を把握する。次いで、負荷量から伝送速度優先の伝送データ容量を決定させ、伝送データ容量に対応する解像度を自動調整させることによって、所定の時間経過後、時間ｔ＋１では時系列データを調整された解像度にてディスプレイに更新表示・追加表示・再表示させるときに適用される。
【０１２３】
なお、図８について図７に示す部材と同一の部材には、同一符号を付して説明を省略する。
【０１２４】
図８に示すように、時間ｔにおける原時系列データを、データ生成側処理装置２６内部のメモリ２９に保存する。
【０１２５】
次いで、データ生成側処理装置２６内部のメモリ２９の時系列データを処理部で分解・圧縮処理させる。さらに、分解・圧縮処理された複数の圧縮時系列データから、伝送データ容量が小さくかつ低画質の低解像度の時系列データに相当する圧縮時系列データを抽出させ、抽出された圧縮時系列データをコード化したＥ／ｔ圧縮コードＥ１をデータ生成側処理装置２６の端末に伝送させる。
【０１２６】
さらに、Ｅ／ｔ圧縮コードＥ１をデータ生成側処理装置２６の端末からネットワーク２７を介して閲覧側処理装置２５の端末に伝送させる。
【０１２７】
例えば、時間幅ｔの低解像度（Ｅ）に相当するＥ／ｔ圧縮コードＥ１の伝送が終了した後、時間幅ｔ＋１の低解像度（Ｅ）に相当するＥ／ｔ＋１圧縮コードＥ２の伝送までにまだ時間的に余裕があるかどうかを判断し、余裕があると判断されたので、時間幅ｔの中解像度（Ｆ）に相当するＦ／ｔ圧縮コードＦ１を伝送させる。
【０１２８】
ここでもし、Ｅ／ｔ＋１圧縮コードＥ２の伝送までに時間的に余裕がないと判断されたときは、Ｆ／ｔ圧縮コードＦ１の伝送を行うことなく、Ｅ／ｔ＋１圧縮コードＥ２を伝送させることになる。
【０１２９】
次いで、Ｆ／ｔ圧縮コードＦ１の伝送が終了した後、再度、Ｅ／ｔ＋１圧縮コードＥ２の伝送までにまだ時間的に余裕があるかどうかを判断し、余裕がないと判断されたので、Ｅ／ｔ＋１圧縮コードＥ２を伝送させる。
【０１３０】
ここでもし、Ｅ／ｔ＋１圧縮コードＥ２の伝送までに時間的に余裕があると判断されたときは、時間幅ｔの時系列データで、伝送データ容量が大きくかつ高画質の高解像度（Ｇ）に相当するＧ／ｔ圧縮コードＧ１の伝送を行うことになり、図７の実施の形態と同様の伝送となる。
【０１３１】
図８の機器およびシステムの遠隔監視方法によると、伝送データ容量を閲覧側の監視ニーズ、並びに伝送環境および端末環境に柔軟に対応させることができ、必要に応じて時系列データの解像度を自動調整させて更新表示・追加表示・再表示させて遠隔監視することができる。
【０１３２】
図９は、本発明に係る機器およびシステムの遠隔監視方法の第８実施の形態を示すフローチャートである。
【０１３３】
図９は、図８のように時系列データの圧縮コードを伝送する場合、伝送環境負荷の増大や受信端末の処理能力の限界から所要周期での監視が困難なとき、閲覧側処理装置の受信バッファ内部のｔ時系列データのデータ成分をクリアさせ、受信バッファにｔ＋１時系列データのデータ成分を受信させる。
【０１３４】
まず、時間ｔにおいて、閲覧側処理装置にて、時間幅ｔに相当するｔ圧縮コードの受信待ちをする（ステップＳ２０）。
【０１３５】
次いで、ｔ圧縮コードを受信する（ステップＳ２１）。
【０１３６】
さらに、時間幅ｔ＋１に相当するｔ＋１圧縮コードの受信までに時間的な余裕があるかを判断する（ステップＳ２２）。
【０１３７】
ステップＳ２２においてＮｏの場合、すなわち、ｔ＋１圧縮コードの受信までに時間的な余裕がない場合、受信バッファをクリアし（ステップＳ２３）、ｔ＋１圧縮コードの受信待ちをする（ステップＳ２０）。
【０１３８】
一方、ステップＳ２２においてＹｅｓの場合、すなわち、ｔ＋１圧縮コードの受信までに時間的な余裕がある場合、既に受信しているｔ圧縮コードが最高解像度に相当するか否かを判断する（ステップＳ２４）。
【０１３９】
ステップＳ２４においてＮｏの場合、すなわち、既に受信しているｔ圧縮コードが最高解像度に相当しない場合、既に受信しているｔ圧縮コードより上位解像度に相当するｔ圧縮コードを受信させ（ステップＳ２５）、ｔ圧縮コードを展開させる（ステップＳ２６）。
【０１４０】
次いで、閲覧側のディスプレイに時系列データを再表示させる（ステップＳ２７）。
【０１４１】
ステップＳ２４においてＹｅｓの場合、すなわち、既に受信しているｔ圧縮コードが最高解像度に相当する場合、既に受信しているｔ圧縮コードを展開させる（ステップＳ２６）。
【０１４２】
さらに、閲覧側のディスプレイに時系列データを再表示させる（ステップＳ２７）。
【０１４３】
続いて、閲覧側が時系列データ受信を継続するかを判断する（ステップＳ２８）。
【０１４４】
ステップＳ２８においてＹｅｓの場合、すなわち、データ受信の継続を行う場合、再び、ｔ圧縮データの受信待ちを行う（ステップＳ２０）。
【０１４５】
一方、ステップＳ２８においてＮｏの場合、すなわち、データ受信の継続を行わない場合、終了する。
【０１４６】
図８および図９の機器およびシステムの遠隔監視方法によると、伝送データ容量を閲覧側の監視ニーズ、並びに伝送環境および端末環境に柔軟に対応させることができ、必要に応じて時系列データの解像度を自動調整させることによって更新表示・追加表示・再表示させて遠隔監視することができる。
【０１４７】
図１０は、本発明に係る機器およびシステムの遠隔監視方法の第９実施の形態を示すイメージ図である。
【０１４８】
図１０では、まず、時間ｔでは時系列情報を構成する時間的に連続性のある複数の時系列データが閲覧側のディスプレイに表示される。次いで、時系列データの解像度を手動調整することによって、所定の時間経過後、時間ｔ＋１では時系列データを調整された解像度にてディスプレイに再表示させるときに適用される。
【０１４９】
図１０は、閲覧側のディスプレイ２１を示しており、ディスプレイ２１には１項目の時系列情報が表示される。
【０１５０】
図１０の上段に示すディスプレイ２１は時間ｔの時の表示形式を示し、Ａ項目の時系列情報Ａにおける４種類の時系列データが表示される。ここでは、Ａ項目の時系列情報Ａにおける時間幅ｔの時系列データ（Ａ／ｔ時系列データＡ１）と、同じく時間幅ｔ−１の時系列データ（Ａ／ｔ−１時系列データＡ２）と、同じく時間幅ｔ−２の時系列データ（Ａ／ｔ−２時系列データＡ３）と、同じく時間幅ｔ−３の時系列データ（Ａ／ｔ−３時系列データＡ４）とがそれぞれ任意の解像度で表示される。
【０１５１】
また、図１０の下段に示すディスプレイ２１は時間ｔ＋１の時の表示形式を示し、図１０の上段同様に、時系列情報Ａにおける４種類の時系列データが、それぞれ所要の解像度で表示される。
【０１５２】
例えば、図１０の上段のディスプレイ２１に示すように、時間ｔにおいて、各時系列データが低画質の低解像度で表示されたとする。閲覧側がＡ／ｔ−３時系列データＡ４を１段階アップ、Ａ／ｔ−２時系列データＡ３を２段階アップしたい場合は、ディスプレイ２１でＡ／ｔ−３時系列データＡ４およびＡ／ｔ−２時系列データＡ３を選択し、Ａ／ｔ−３時系列データＡ４に対して１段階アップ操作を、Ａ／ｔ−２時系列データＡ３に対して２段階アップ操作する。
【０１５３】
解像度の操作後、下段のディスプレイ２１に示すように、時間ｔ＋１において、Ａ／ｔ−３時系列データＡ４が中解像度で、Ａ／ｔ−２時系列データＡ３が高解像度でそれぞれ再表示される。
【０１５４】
図１０の機器およびシステムの遠隔監視方法によると、伝送データ容量を閲覧側の監視ニーズに柔軟に対応させることができ、必要に応じて時系列データの解像度を手動調整することによって再表示させて遠隔監視することができる。
【０１５５】
図１１は、本発明に係る機器およびシステムの遠隔監視方法の第１０実施の形態を示すイメージ図である。
【０１５６】
図１１では、まず、時間ｔでは複数の時系列情報が閲覧側のディスプレイに表示される。さらに、それぞれの時系列情報を構成する時間的に連続性のある複数の時系列データがディスプレイに表示される。次いで、ある時系列データの解像度を手動調整することによって、所定の時間経過後、時間ｔ＋１では解像度調整された調整時系列データと、それ以外の自動調整時系列データを調整された解像度にてディスプレイに再表示させるときに適用される。
【０１５７】
図１１は、閲覧側のディスプレイ２１を示しており、ディスプレイ２１には３項目の時系列情報が表示される。
【０１５８】
図１１の上段に示すディスプレイ２１は時間ｔの時の表示形式を示し、３項目の時系列情報における９種類の時系列データが表示される。ここでは、Ａ項目の時系列情報Ａにおける時間幅ｔの時系列データ（Ａ／ｔ時系列データＡ１）と、同じく時間幅ｔの時系列データ（Ａ／ｔ−１時系列データＡ２）と、同じく時間幅ｔの時系列データ（Ａ／ｔ−２時系列データＡ３）とがそれぞれ任意の解像度で表示される。
【０１５９】
同様に、Ｂ項目の時系列情報Ｂにおいて、Ｂ／ｔ時系列データＢ１と、Ｂ／ｔ−１時系列データＢ２と、Ｂ／ｔ−２時系列データＢ３とが、さらに、Ｃ項目の時系列情報Ｃにおいて、Ｃ／ｔ時系列データＣ１と、Ｃ／ｔ−１時系列データＣ２と、Ｃ／ｔ−２時系列データＣ３とが、それぞれ任意の解像度で表示される。
【０１６０】
なお、３項目の時系列情報は、時間幅ｔ＋１の時系列データであるＡ／ｔ＋１時系列データＡ０と、Ｂ／ｔ＋１時系列データＢ０と、Ｃ／ｔ＋１時系列データＣ０とが、時間幅ｔの時系列データと同様の解像度で追加表示される予定である。
【０１６１】
また、図１１の下段に示すディスプレイ２１は時間ｔ＋１の時の表示形式を示し、３項目の時系列情報における１２種類の時系列データが表示される。ここでは、上段の表示に加え、Ａ／ｔ＋１時系列データＡ０と、Ｂ／ｔ＋１時系列データＢ０と、Ｃ／ｔ＋１時系列データＣ０とがそれぞれ所要の解像度で追加表示される。
【０１６２】
例えば、図１１の上段のディスプレイ２１に示すように、時間ｔにおいて、各時系列データが標準的な画質の中解像度で表示されたとする。閲覧側がＢ／ｔ時系列データＢ１の解像度をアップしたい場合は、ディスプレイ２１上でＢ／ｔ時系列データＢ１を選択し、さらに、ディスプレイ２１上でＢ／ｔ時系列データＢ１に対して解像度をアップ操作する。
【０１６３】
解像度の操作後、図１１の下段のディスプレイ２１に示すように、時間ｔ＋１において、Ｂ／ｔ時系列データＢ１が高解像度で再表示される。同時に、選択されたＢ／ｔ時系列データＢ１の生成時間と同等の時間に生成されたＡ／ｔ時系列データＡ１とおよびＣ／ｔ時系列データＣ１の解像度についても、Ｂ／ｔ時系列データＢ１の解像度に応じて自動的に高解像度で再表示される。
【０１６４】
なお、下段に示す時間ｔ＋１において、Ａ／ｔ＋１時系列データＡ０、Ｂ／ｔ＋１時系列データＢ０、Ｃ／ｔ＋１時系列データＣ０についても自動的に高解像度で追加表示される。
【０１６５】
よって、機器およびシステムに関して複数項目の時系列情報を閲覧し、機器およびシステムを多元的に監視する場合、単一の手動調整操作により、解像度調整対象の時系列情報と関連のある他の時系列情報についても自動調整される。
【０１６６】
なお、図１１では、調整対象の時系列情報以外の時系列情報の解像度を自動調整させることによって、時系列データを調整された解像度にてディスプレイに追加表示させる場合を示しているが、同様に、更新表示させるときにも適用できる。
【０１６７】
図１１の機器およびシステムの遠隔監視方法によると、伝送データ容量を閲覧側の監視ニーズに柔軟に対応させることができ、必要に応じて時系列データの解像度を手動調整することによって更新表示・追加表示・再表示させて遠隔監視することができる。
【０１６８】
【発明の効果】
以上説明したように、本発明によれば、伝送データ容量を閲覧側の監視ニーズ、並びに伝送環境および端末環境に柔軟に対応させることができ、必要に応じて時系列データの解像度を調整することによって更新表示・追加表示・再表示させて遠隔監視することができる。
【０１６９】
また、本発明の他の目的は、伝送データ容量を閲覧側の監視ニーズ、並びに伝送環境および端末環境に柔軟に対応させることができ、刻々と変化する伝送環境の状況を的確に推測し、時系列データ生成時刻から直ちに閲覧できる最大限の画質の時系列データを自動的に更新表示・追加表示させて遠隔監視することができる。
【０１７０】
また、本発明の別の目的は、伝送データ容量を閲覧側の監視ニーズ、並びに伝送環境および端末環境に柔軟に対応させることができ、必要最小限の画質の時系列データを自動的に更新表示・追加表示させて監視することができる。
【図面の簡単な説明】
【図１】本発明に係る機器およびシステムの遠隔監視方法の第１実施の形態を示すイメージ図。
【図２】本発明に係る機器およびシステムの遠隔監視方法の第１実施の形態を示すフローチャート。
【図３】本発明に係る機器およびシステムの遠隔監視方法の第２実施の形態を示すイメージ図。
【図４】本発明に係る機器およびシステムの遠隔監視方法の第３実施の形態を示すイメージ図。
【図５】本発明に係る機器およびシステムの遠隔監視方法の第４実施の形態を示すイメージ図。
【図６】本発明に係る機器およびシステムの遠隔監視方法の第５実施の形態を示すイメージ図。
【図７】本発明に係る機器およびシステムの遠隔監視方法の第６実施の形態を示すイメージ図。
【図８】本発明に係る機器およびシステムの遠隔監視方法の第７実施の形態を示すイメージ図。
【図９】本発明に係る機器およびシステムの遠隔監視方法の第８実施の形態を示すイメージ図。
【図１０】本発明に係る機器およびシステムの遠隔監視方法の第９実施の形態を示すイメージ図。
【図１１】本発明に係る機器およびシステムの遠隔監視方法の第１０実施の形態を示すフローチャート。
【図１２】従来の時系列データの解像度を選択する株価トレンドデータの選択ディスプレイを示すイメージ図。
【図１３】従来の機器およびシステムの遠隔監視方法を示すフローチャート。
【符号の説明】
２１　ディスプレイ
２５　閲覧側処理装置
２６　データ生成側処理装置
２７　ネットワーク
２８　ディスプレイ
２９　メモリ
ａ　高解像度−中解像度限界ライン
ｂ　中解像度−低解像度限界ライン
Ａ，Ｂ，Ｃ，Ｄ　時系列情報
Ａ０，Ａ１，Ａ２，Ａ３，Ａ４，Ａ５，Ａ６，Ａ７，Ａ８，Ａ９，Ａ１０，Ａ１１，Ｂ０，Ｂ１，Ｃ０，Ｃ１，Ｄ０　時系列データ
Ｅ１，Ｅ２，Ｆ１，Ｇ１　圧縮コード
Ｓ１　伝送条件の確定
Ｓ２　伝送条件の受信
Ｓ３　原時系列データの分解・圧縮・コード化
Ｓ４　圧縮コードの伝送
Ｓ５　時系列データの表示
Ｓ１０　時系列データの表示
Ｓ１１　伝送条件の確定
Ｓ１２　伝送条件の受信
Ｓ１３　原時系列データの分解・圧縮・コード化
Ｓ１４　圧縮コードの伝送
Ｓ１５　時系列データの更新表示
Ｓ１６　判断
Ｓ２０　受信待ち
Ｓ２１　圧縮コードの受信
Ｓ２２　次の時間幅までの時間的余裕の判断
Ｓ２３　受信バッファのクリア
Ｓ２４　解像度の判断
Ｓ２５　圧縮コードの受信
Ｓ２６　圧縮コードの展開
Ｓ２７　時系列データの再表示
Ｓ２８　データ受信継続の判断
【図１】
2004086571.tif 000003
【図２】
2004086571.tif 000004
【図３】
2004086571.tif 000005
【図４】
2004086571.tif 000006
【図５】
2004086571.tif 000007
【図６】
2004086571.tif 000008
【図７】
2004086571.tif 000009
【図８】
2004086571.tif 000010
【図９】
2004086571.tif 000011
【図１０】
2004086571.tif 000012
【図１１】
2004086571.tif 000013
【図１２】
2004086571.tif 000014
【図１３】
2004086571.tif 000015